(57)【要約】【課題】サウナ室内の上下領域の温度差を無くし、かつ暖熱効率を高めて、加熱暖房装置の省エネ運転に寄与することができるサウナハウスを提供する。【解決手段】サウナストーブ１２を設置したサウナ室７の天井部及び壁部は、アキレスボード１０と炭素シート１１により断熱構造とする。バイオカーボン１８を混入したコンクリート床１７には、床暖房装置の温水パイプ２０を埋設する。さらに、温水パイプ２０の下側には畜熱用砂利層２１を埋設し、温水パイプ２０から放出される熱量の一部を砂利層２１に蓄え、暖房熱として有効利用する。【選択図】　図１
2004089493.tif 000002
【特許請求の範囲】
【請求項１】
コンクリート床に床暖房装置を設けたサウナハウスにおいて、前記床暖房装置の下方に蓄熱用砂利層を設けたことを特徴とするサウナハウス。
【発明の詳細な説明】
【０００１】
【発明の属する技術分野】
本発明は、サウナハウスに関し、とくに、床暖房装置を併設したサウナハウスに関するものである。
【０００２】
【従来の技術】
従来、サウナストーブによりサウナ室の温度を所定値に加温調整し、利用者の身体に熱気を与えて発汗させるようにしたホームサウナがある。このホームサウナの種類としては、室温４０〜６０℃に調整する低温タイプと室温６０〜７０℃以上に調整する高温タイプがある。また、床暖房を行うものと床暖房を行わないものがある。
【０００３】
【発明が解決しようとする課題】
従来のホームサウナでは、サウナ室内の天井部付近と床部付近、すなわち室内上下の領域の温度差は通常３０℃以上になる。このため、利用者が所要温度で入浴するには、座席を室内の高い位置に設置する必要がある。また、３０℃以上の温度差を緩和すべく室内下部の温度を高めるには、サウナ室の天井を低くすることもあるが、この場合にはサウナ室の有効スペースが縮小するので、利用者の使用快適性が低下する。したがって、室内の上下の温度差を如何にして小さくするかが課題になっていた。
【０００４】
一方、温水パイプ等の床暖房装置により床暖房を行うタイプのものでは、床暖房装置から放出される熱の一部は、床部分の下側に達してそのまま室外に逃げ、その結果、その分だけ暖房熱の損失が起こって熱量の利用効率が低下する。したがって、暖房装置の省エネ運転を図るためにも、暖房用熱量の熱効率を如何にして高めるかが課題になっていた。本発明は、上記の課題に鑑みなされたもので、その目的は、サウナ室内の上下領域間の温度差を無くし、かつ熱効率を高めて、加熱暖房装置の省エネ運転に寄与することができるサウナハウスを提供することにある。
【０００５】
【課題を解決するための手段】
このため本発明は、コンクリート床に床暖房装置を設けたサウナハウスにおいて、前記床暖房装置の下方に蓄熱用砂利層を設けたことを特徴とするものである。
【０００６】
本発明のウナハウスの床構造はコンクリート製であって、コンクリート床中には、遠赤外線作用、断熱作用、臭気吸着作用をもつ粒炭や粉炭を混入する。コンクリート床の内部には温水パイプ等の床暖房装置を設け、床暖房装置の下方位置には砂利層を埋設する。砂利層は蓄熱機能を有するもので、床暖房装置からの放出熱の一部を砂利層に蓄えて熱の有効利用を図る。
【０００７】
コンクリート床上には、簀の子などの床部材を設けることができる。サウナ室内の床面には室内暖房装置や座席を配置するが、室内暖房装置としては、サウナストーブやパネルヒータ等を用いることができる。この暖房装置によりサウナ室を通常４０〜６０℃に加温設定する。
【０００８】
本発明のサウナハウスは、コンクリート床の床暖房装置の下方に蓄熱用砂利層を設け、床暖房装置から放出される熱の一部を砂利層に蓄えるようにされている。このため、床暖房熱の一部がコンクリート床の下面から外側に散逸することを防ぎ、床暖房装置からの放出熱は外に漏れずに、殆ど全て暖房エネルギーとして有効に利用される。その結果、熱効率が向上すると共に、暖房装置の省エネ運転を大幅に促進できる。
【０００９】
砂利層に熱が蓄えられることにより、砂利層はサウナ室に対して一種の加温手段として直接又は間接的に作用する。そのため、砂利層からサウナ室側に熱移動することで、サウナ室の下部領域の温度が高まって上部領域の温度に接近し、上下間の温度差が極力均一化される。実験によると、暖房装置の運転をオフして約４時間後には、サウナ室内の上下の温度差を殆ど同等にすることができる。尚、本発明は湿式および乾式のいずれのサウナ室にも適用可能である。
【００１０】
【発明の実施の形態】
以下に、本発明の実施の形態を図面に示す実施例に基づいて説明する。
図１は本発明に係るサウナハウスを示す側面断面図、図２は本発明に係るサウナハウスを示す正面図、図３は本発明に係るサウナハウス床下の平面図、図４は本発明に係るサウナハウスを示す側面図、図５はサウナハウスの床部を示す要部断面図である。
【００１１】
【実施例】
本実施例は、サウナ室の温度を４０〜６０℃に暖房する乾式のサウナハウスに適用したもので、コンクリート床中に、床暖房装置としての温水パイプを配管すると共に、温水パイプからの放出熱を蓄える砂利層を埋設し、この蓄熱作用により室内の温度差を殆どなくし、暖房装置の省エネ運転を実現したものである。
【００１２】
１は、採光・換気用の窓２を有する横幅２．７３ｍ、長さ３．６ｍ、天井高さ２．４ｍのサウナハウスで、従来のホームサウナに比べ５〜１０倍の室内体積をもち、一度に５人以上が入浴できる。サウナハウス１内には、４０〜６０℃の温度に調整される断熱構造のサウナ室７が形成され、サウナ室７内の所定高さ（６０〜７０ｃｍ）には入浴者用の長椅子が設けられ、長椅子の近傍には、図１に示すように、サウナストーン２４を加熱するサウナストーブ１２が設置されている。サウナハウス１の正面には、図２に示すように、入浴者が出入りするためのドアー３が取り付けられている。サウナハウス１の屋根は、棟木４に垂木５を組み込んで構成され、垂木５の上側表面には、雨風に強い有色のコロニアル（屋根部材）６が張られている。
【００１３】
サウナハウス１の天井部を構成する天井根太８には、グラスウール（ガラス繊維製断熱吸音材）９がブローイング工法により施工され、グラスウール９の内面側には、断熱パネルであるアキレスボード１０が設けられている。さらにアキレスボード１０の内側には、空気浄化と輻射熱効果を高めるための炭素シート１１が貼設されている。天井部と同様に、サウナハウス１の壁部もアキレスボード１０により構成され、アキレスボード１０の内側には炭素シート１１が貼設されている。
【００１４】
一方、サウナハウス１の床部は、地面ＧＬよりも下側の床部分１３と上側の床部分１４との二重構造に施工され、下側床部分１３を構成する樹脂発泡材のスタイロフォーム１５には、床下調湿材であるコレマドライ１６が形成されている。また、上側床部分１４はコンクリート床１７により構成され、コンクリート床１７の上側には、設計条件に応じて木製又は樹脂製の床部材１９が設けられている。コンクリート床１７の外側面には、スタイロフォーム２２が取付けられている。
【００１５】
コンクリート床１７中には、バイオカーボン（活性炭）１８が混入され、バイオカーボン１８の混入比は、ここではコンクリート床１立米当たり３０Ｌとされている。バイオカーボン１８は、コンクリート床１７の遠赤外線効果を高めると共に、臭気成分を吸着除去する機能も有する。
【００１６】
コンクリート床１７の上側内部には、床暖房コントローラにより給湯制御される温水パイプ２０が埋設され、この温水パイプ２０により、コンクリート床１７自体を自由に加温調整し得るようになっている。コンクリート床１７内部における温水パイプ２０よりも下方には、高い畜熱作用をもつ砂利層２１が埋設されている。この砂利層２１は、温水パイプ２０からの放出熱を蓄えるものである。
【００１７】
この畜熱用砂利層２１は、主に粒径４０〜５０ｍｍの多数の小石を積層して構成され、各小石の間には空隙が形成されている。畜熱用砂利層２１の横幅はコンクリート床１７の横幅よりも短く、畜熱用砂利層２１全体の厚さは３００ｍｍとされている。砂利層２１の上面と外側面には防湿フィルム２３が貼設され、この防湿フィルム２３により、地中からの湿気がコンクリート床１７に浸透しないようにされている。畜熱用砂利層２１下面は、下側床部分１３側のスタイロフォーム１５の上面と接している。
【００１８】
サウナハウス１は、床部のコンクリート床１７に温水パイプ２０を埋設すると共に、温水パイプ２０の下側に蓄熱用砂利層２１を敷設したものである。これにより、床暖房制御装置の運転をオンにすると、温水パイプ２０から暖房熱が放出され、この熱は、コンクリート床１７を設定値に昇温暖房させる。この場合、温水パイプ２０からコンクリート床１７の下面側に向かう熱の一部は、畜熱用砂利層２１に達して蓄えられる。これにより、砂利層２１の下側に暖房熱が逃げるのを防ぎ、砂利層２１に蓄えられた熱は暖房用として有効利用される。
【００１９】
つまり、温水パイプ２０の熱によりコンクリート床１７が所定温度以上になると、余分な熱量はコンクリート床１７下部の砂利層２１に逐次蓄えられる。この蓄熱は、コンクリート床１７がある温度以下に低下したときに、床や室内側に移動して暖房熱として有効に利用される。このため、砂利層を設けない従来方式のものに比べて、その分だけ熱量の浪費が節約される。実際には、温水パイプ２０の下側に砂利層２１を設けた場合は、砂利層２１を設けない従来構造の場合に比べて、省エネ効果が５０パーセント以上向上する。
【００２０】
サウナストーブ１２の運転スイッチを切ると、サウナ室７内の温度が次第に下がるが、室温または床温が設定値以下に低くなると、砂利層２１に蓄えられている熱の一部が、コンクリート床１７を経てサウナ室７側に上昇移動する。この移動熱によって、サウナ室７内の温度が上がるので、室温が設定値（約４０〜４２℃）以上に常に維持されることになる。また、砂利層２１の蓄熱作用によってコンクリート床１７の温度が一定値以上に保持されることから、サウナ室７の上下間における温度差を極力小さくすることができる。
【００２１】
砂利層２１による蓄熱効果を確認するために、次のような暖房温度の測定実験を行った。まず、７月２９日午前６時１５分に、温水パイプ２０とサウナストーブ１２の運転をオンにすることで、コンクリート床１７とサウナ室７の暖房を開始した。そして、開始後１時間４５分経過した午前８時に、温水パイプ２０とサウナストーブ１２の運転をオフにした。この時、サウナ室７内の湿度が３２％に下がったので、水１リットルをサウナストーン２４にかけた。実験を開始した午前６時１５分から同日の午後５時までの間、サウナ室７内の上部（床部材１９から高さ２１０ｃｍの場所）と下部（床部材１９から高さ７０ｃｍの場所）における温度および湿度をそれぞれ測定した。
この結果を、表１に示す。
【００２２】
【表１】
2004089493.tif 000003
【００２３】
この表から明らかなように、コンクリート床１７とサウナ室７の暖房を停止して９時間経過しても、サウナ室７内の上部、下部を共に室温４０℃に保持することができた。これは、砂利層２１の蓄熱作用によって得られた保温効果であり、砂利層２１なしの従来構造であれば、サウナ室７内の上部、下部を共に温度４０℃に保持することはできなかったことである。
【００２４】
砂利層２１の蓄熱作用による他の効果として、サウナ室７内の上下両部間の温度差を少なくする、いわゆる温度差解消効果が得られる。従来の砂利層なし構造であれば、サウナ室７内の上下両部間の温度差が３０℃以上もなっていた。このため、入浴者用座席をできるだけ高い位置に配置しなければならず、入浴者はサウナストーブ１２よりも高い所で入浴する必要があった。
【００２５】
ここで、従来のサウナ構造において室温を高めるためには、天井の高さを２メートル以下に設定すればよいが、このようにすると、サウナ室の内部空間がかなり縮小し十分なスペースを確保できなくなる。また、床暖房と組み合わせることにより、室温を高めて天井の高さを２．４メートルに設定しえたとしても、それでもサウナ室内の上下両部間の温度差は２０℃前後となる。その点、この実施例では、砂利層２１により蓄熱効果が発揮されるために、温水パイプ２０とサウナストーブ１２の運転停止より約４時間経過すると、サウナ室７内の上下両部間の温度差は殆どなくなる。
【００２６】
このサウナハウスの特徴的な利点の１つは、従来のホームサウナに比べて快適性が向上することである。まず第一に、従来の既製品に比べて室内の体積が５〜１０倍に増大するので、多人数でリラックスした状態で入浴でき、必要ならば室内にベッドを持ち込むこともできる。第二に、箱型サウナや高温サウナでは入浴時間１０〜１５分が限度で、休憩を入れても３０分以上の入浴は体力を消耗して困難になるが、このサウナハウス１では室温４１〜４３℃に設定すると、２時間でも３時間でも容易に入浴できる。つまり、高温サウナに短時間入るよりも、低温サウナに長時間入った方が発汗の量は多くなり疲れもなく、好みの温度、湿度に自由に設定でき、特に高齢者や子供でも無理なく入浴できる。ちなみに、１日１回この低温サウナで汗をかいて水を飲むと健康に良く、ダイエット効果も得られ、例えば、２か月で３．５Ｋｇ以上減量することができる。
【００２７】
尚、本発明は上記実施例に限定されず、種々の応用が可能である。例えば、上記実施例では、サウナストーブと床暖房を組み合せた乾式サウナ装置に適用したが、床暖房を組み合せた湿式サウナ、例えば、フィンランド式サウナの床構造にも応用可能である。また、住宅の一室を改造して本発明のようなサウナ室とすることも可能である。
【００２８】
【発明の効果】
以上、本発明のサウナハウスによれば、コンクリート床の床暖房装置の下方に畜熱用砂利層を設けたので、畜熱用砂利層による蓄熱作用により、サウナ室内の上下領域間の温度差を極力無くすことができるという優れた効果がある。また、コンクリート床の熱の散逸を防止し熱効率を高めて加熱暖房装置の省エネ運転に寄与することができる。
【図面の簡単な説明】
【図１】本発明に係るサウナハウスを示す側面断面図である。
【図２】本発明に係るサウナハウスを示す正面図である。
【図３】本発明に係るサウナハウス床下の平面図である。
【図４】本発明に係るサウナハウスを示す側面図である。
【図５】サウナハウスの床部を示す要部断面図である。
【符号の説明】
１　　サウナハウス
２　　窓
３　　ドアー
４　　棟木
５　　垂木
６　　コロニアル
７　　サウナ室
８　　天井根太
９　　グラスウール
１０　アキレスボード
１１　炭素シート
１２　サウナストーブ（加熱装置）
１３　下側床部分
１４　上側床部分
１５　スタイロフォーム
１６　コレマドライ
１７　コンクリート床
１８　バイオカーボン（活性炭）
１９　床部材
２０　温水パイプ（床暖房装置）
２１　畜熱用砂利層
２３　防湿フィルム
２４　サウナストーン
【図１】
2004089493.tif 000004
【図２】
2004089493.tif 000005
【図３】
2004089493.tif 000006
【図４】
2004089493.tif 000007
【図５】
2004089493.tif 000008